(57)【要約】【課題】放熱効果がもっと良くなり、作動効率が良くなり、そして部品をモジュール化にすることが達成可能である軸型リニアモータ用放熱スリーブを提供する。【解決手段】可動子の周面に脱着可能に組み付けられ、内部に嵌め空間が開設してあり、前記嵌め空間の輪郭が前記可動子の外形と同様であり、前記嵌め空間と前記外面との間の壁の内部に冷媒通路が若干に設けてあり、前記冷媒通路は、一つの冷媒入り口と、一つの冷媒出口と、を少なくとも有し、冷媒が前記冷媒通路を流動することを特徴とする軸型リニアモータ用放熱スリーブ。【選択図】図３
2008148399.tif 000002
【特許請求の範囲】
【請求項１】
可動子の周面に脱着可能に組み付けられ、内部に嵌め空間が開設してあり、前記嵌め空間の輪郭が前記可動子の外形と同様であり、前記嵌め空間と外面との間の壁の内部に冷媒通路が若干に設けてあり、前記冷媒通路は、一つの冷媒入り口と、一つの冷媒出口と、を少なくとも有し、冷媒が前記冷媒通路を流動することを特徴とする、
軸型リニアモータ用放熱スリーブ。
【請求項２】
前記放熱スリーブの外面には、放熱の必要に応じて凹凸形状の放熱フィンが設けてあることを特徴とする、請求項１に記載の軸型リニアモータ用放熱スリーブ。
【請求項３】
前記放熱スリーブは可動子にネジ止められることを特徴とする、請求項２に記載の軸型リニアモータ用放熱スリーブ。
【請求項４】
前記冷媒は、水でもいいし、冷却用オイルでもいいし、化学冷却剤でもいいことを特徴とする、請求項１に記載の軸型リニアモータ用放熱スリーブ。
【発明の詳細な説明】
【技術分野】
【０００１】
本発明は、軸型リニアモータの関連部品に係り、特に、放熱可能であり、製品がモジュール化になり、設計変更が簡単になり、放熱効果が向上になる軸型リニアモータ用放熱スリーブに関するものである。
【背景技術】
【０００２】
目下、可動子と固定子との相対運動をスムーズにするために、軸型リニアモータの軸型固定子には異なる磁極が複数に設けてあり、前記軸型固定子に、内部にコイルが設けられた可動子を嵌めて、コイルにより磁力を発生することによって、固定子の上で可動子を駆動して移動させるが、これらの従来のものは欠点がある。
【０００３】
図１と図２に示すのは皆に知られた従来の軸型リニアモータである。
【０００４】
図１は従来の米国特許ＵＳ６３１３５５２号の提案の概略図であって、軸型固定子（図示せず）に、内部にコイル１１が設けられた可動子１０を嵌めて、コイル１１により磁力を発生することによって、レール１２の上で可動子１０を駆動して移動させ、そして可動子１０の表面に凹凸形状の放熱フィン１３を設け、このような放熱フィン１３により、電流から磁力に変換している過程中に発生した熱を放熱し、可動子の過熱を回避する。しかしながら、これは次のような欠点があった。
【０００５】
電流から磁力に変換している過程中に発生した熱は、コイル１１から放熱フィン１３に伝熱されるが、放熱フィン１３の放熱効果は大気の対流によるので、可動子の過熱を回避できないことがあった。
【０００６】
図２は従来の特開平１１−２０６０９９号の提案の概略図であって、軸型固定子１６に、内部にコイル１４が設けられた可動子１５を嵌めて、コイル１４により磁力を発生することによって、固定子１６の上で可動子１０を駆動して移動させ、そして可動子１５の外面にエアマスク１７が嵌めてあり、前記エアマスク１７の内部がダクト１７２を介してファン１７１と連接し、前記エアマスク１７とダクト１７２との連接箇所に排気孔１７３が開設してあり、前記ファン１７１により、コイル１４の電流から磁力に変換している過程中に発生した熱で加熱されたエアが前記排気孔１７３から大気に排出される。しかしながら、これは次のような欠点があった。
【０００７】
（イ）エアの対流によりコイル１１で発生した熱を排出する放熱効果は良くないので、可動子の過熱を回避できないことがあった。
【０００８】
（ロ）上記のエアマスク１７とダクト１７２とファン１７１との連接および組付が極めて困難であり、且つ部品の構造が極めて複雑であるので、製品をモジュール化にすることが難しい。
【０００９】
（ハ）排気孔１７３から排出された熱空気は、作業環境の温度を上げ、騒音や塵埃飛散などの問題を発生する。
【特許文献１】米国特許ＵＳ６３１３５５２号
【特許文献２】特開平１１−２０６０９９号
【発明の開示】
【発明が解決しようとする課題】
【００１０】
本発明の主な目的は、放熱効果がもっと良くなり、作動効率が良くなる軸型リニアモータ用放熱スリーブを提供することにある。
【００１１】
本発明の次の目的は、部品をモジュール化にすることが達成可能である軸型リニアモータ用放熱スリーブを提供することにある。
【課題を解決するための手段】
【００１２】
上記目的を達成するためになされた本願の発明は、可動子の周面に脱着可能に組み付けられ、内部に嵌め空間が開設してあり、前記嵌め空間の輪郭が前記可動子の外形と同様であり、前記嵌め空間と前記外面との間の壁の内部に冷媒通路が若干に設けてあり、前記冷媒通路は、一つの冷媒入り口と、一つの冷媒出口と、を少なくとも有し、冷媒が前記冷媒通路を流動することを特徴とする軸型リニアモータ用放熱スリーブであることを要旨としている。
【００１３】
本願の発明では、前記放熱スリーブの外面には、放熱の必要に応じて凹凸形状の放熱フィンが設けてあることを特徴とする請求項１に記載の軸型リニアモータ用放熱スリーブであることを要旨としている。
【００１４】
本願の発明では、前記放熱スリーブは可動子にネジ止められることを特徴とする請求項２に記載の軸型リニアモータ用放熱スリーブであることを要旨としている。
【００１５】
本願の発明では、前記冷媒は、水でもいいし、冷却用オイルでもいいし、化学冷却剤でもいいことを特徴とする請求項１に記載の軸型リニアモータ用放熱スリーブであることを要旨としている。
【発明の効果】
【００１６】
本発明の軸型リニアモータ用放熱スリーブによれば、次のような効果がある。
【００１７】
（イ）騒音や塵埃飛散などの問題が発生しなく、作業環境を影響しない。
【００１８】
（ロ）部品をモジュール化にすることが可能である。
【００１９】
（ハ）冷却効果が下記のように良くなる。
【表１】
2008148399.tif 000003
【発明を実施するための最良の形態】
【００２０】
以下、添付図面を参照して本発明の好適な実施の形態を詳細に説明する。
【００２１】
まず、図３乃至図５を参照する。図３乃至図５に示すのは本発明の実施例１であって、軸型リニアモータ用放熱スリーブ２０は、内部にコイルが設けられた可動子３０の外面に固定される。
【００２２】
前記放熱スリーブ２０は、可動子３０の周面に脱着可能に組み付けられ、内部に嵌め空間２１が開設してあり、前記嵌め空間２１の輪郭が前記可動子３０の外形と同様であり、前記可動子３０にネジ止められ、且つ前記嵌め空間２１と外面２２との間の壁２３の内部に冷媒通路２４が若干に設けてあり、前記冷媒通路２４は、一つの冷媒入り口２４１と、二つの冷媒出口２４２とを有し、前記冷媒入り口２４１と前記冷媒出口２４２とに予定のチューブが接続してあり、これにより、圧力を持つ冷媒が冷媒通路２４を流動するようになり、また、放熱スリーブ２０の外面２２には必要に応じて凹凸形状の放熱フィンが設けてある。
【００２３】
特に説明したいのは、圧力を持つ前記冷媒は、水でもいいし、冷却用オイルでもいいし、化学冷却剤でもいい。
【００２４】
次に、図５を参照する。図５は本発明の実施例を示す斜視図である。本発明の実施例の嵌め空間２１の輪郭が可動子３０の外形と同様であるので、設計者は嵌め空間２１と可動子３０とをモジュール化にすることができ、これにより、可動子３０は必要に応じて異なる放熱スリーブを嵌めることが可能になり、例えば、冷媒通路だけを持つもの、放熱フィンだけを持つもの、又は冷媒通路および放熱フィンを同時に持つもの、を選択して採用することができ、そして冷却要求に応じて、壁の内部に異なる数量を有する冷媒通路が設けられた放熱スリーブを選択して採用することもできるので、放熱スリーブは、設計変更が極めて簡単になり、且つモジュール化が達成された。
【図面の簡単な説明】
【００２５】
【図１】従来の米国特許ＵＳ６３１３５５２号の提案の概略図である。
【図２】従来の特開平１１−２０６０９９号の提案の概略図である。
【図３】本発明の斜視図である。
【図４】本発明の冷媒通路を示す断面図である。
【図５】本発明の実施例を示す斜視図である。
【符号の説明】
【００２６】
１０      可動子                   １１      コイル
１２      レール                   １３      放熱フィン
１４      コイル                   １５      可動子
１６      軸型固定子                １７      エアマスク
１７１    ファン                   １７２    ダクト
１７３    排気孔                   ２０      放熱スリーブ
２１      嵌め空間                 ２２      外面
２３      壁                        ２４      冷媒通路
２４１    冷媒入り口                ２４２    冷媒出口
２５      放熱フィン               ３０      可動子
【図１】
2008148399.tif 000004
【図２】
2008148399.tif 000005
【図３】
2008148399.tif 000006
【図４】
2008148399.tif 000007
【図５】
2008148399.tif 000008